(57)【要約】【課題】高コントラスト化を図りつつ、画素変調装置を適切に冷却できるプロジェクターを提供すること。【解決手段】光源装置３１と、光源装置３１から出射された光束に含まれる３色の色光を、色光毎にそれぞれ変調する３つの画素変調装置３６（３６Ｒ，３６Ｇ，３６Ｂ）と、３つの画素変調装置３６により変調された各色光を合成する色合成装置３７Ａと、合成された各色光を投射する投射光学装置３８と、光源装置３１と３つの画素変調装置３６の少なくともいずれかの画素変調装置である対象画素変調装置３６との間に配置され、当該対象画素変調装置３６に入射される光束の中心軸に対する直交面内の照度分布を調整する照度調整装置３４（３４Ｒ，３４Ｇ，３４Ｂ）と、照度調整装置３４と対象画素変調装置３６との間に配置され、照度調整装置３４から出射された光束を対象画素変調装置３６に導くリレー光学装置３５（３５Ｒ，３５Ｇ，３５Ｂ）と、を備える。【選択図】図１
2014153418.tif 000002
【特許請求の範囲】
【請求項１】
光源装置と、
前記光源装置から出射された３色の色光をそれぞれ変調する３つの画素変調装置と、
前記３つの画素変調装置により変調された各色光を合成する色合成装置と、
合成された各色光を投射する投射光学装置と、
前記光源装置と前記３つの画素変調装置の少なくともいずれかの画素変調装置である対象画素変調装置との間に配置され、当該対象画素変調装置に入射される光束の中心軸に対する直交面内の照度を調整する照度調整装置と、
前記照度調整装置と前記対象画素変調装置との間に配置され、前記照度調整装置から出射された光束を前記対象画素変調装置に導くリレー光学装置と、を備える
ことを特徴とするプロジェクター。
【請求項２】
請求項１に記載のプロジェクターにおいて、
前記照度調整装置及び前記対象画素変調装置は、それぞれ同じ解像度を有する液晶パネルを備えて構成されている
ことを特徴とするプロジェクター。
【請求項３】
請求項１に記載のプロジェクターにおいて、
前記照度調整装置及び前記対象画素変調装置は、液晶パネルにより構成され、
前記照度調整装置の解像度は、前記対象画素変調装置の解像度より低い
ことを特徴とするプロジェクター。
【請求項４】
請求項２又は請求項３に記載のプロジェクターにおいて、
前記３つの画素変調装置は、それぞれ、前記投射光学装置のバックフォーカス位置に配置されている
ことを特徴とするプロジェクター。
【請求項５】
請求項２から請求項４のいずれかに記載のプロジェクターにおいて、
前記照度調整装置における変調領域の寸法は、前記対象画素変調装置の変調領域の寸法と異なり、
前記リレー光学装置は、前記照度調整装置における変調領域から出射された光束を、前記対象画素変調装置の変調領域に入射させる
ことを特徴とするプロジェクター。
【発明の詳細な説明】
【技術分野】
【０００１】
本発明は、プロジェクターに関する。
【背景技術】
【０００２】
従来、光源装置から出射された光束を変調して画像情報に応じた画像を形成し、当該画像を被投射面に拡大投射するプロジェクターが知られている。このようなプロジェクターとして、光源装置から出射された光を赤、緑及び青の各色光に分離し、分離された当該各色光を、色光毎に設けられた光変調装置としての液晶パネルにより変調し、変調された各色光を合成して投射する液晶ビデオプロジェクターが知られている（例えば、特許文献１参照）。
【０００３】
この特許文献１に記載の液晶ビデオプロジェクターでは、光源から出射された光を、２つのダイクロイックミラーにより赤色光、緑色光及び青色光に分離し、当該各色光は、各色光用の液晶パネルに入射される。そして、当該各色光用の液晶パネルにより変調され、全反射ミラー及び２つのダイクロイックミラーにより合成された光は、投射レンズにより画像として投射される。
ここで、当該特許文献１に記載の構成では、各色光用の液晶パネルは一対設けられており、前段側の液晶パネルで変調された色光は、後段側の液晶パネルにて更に変調される。そして、前段側の液晶パネルと、後段側の液晶パネルとは、それぞれツイスト方向が逆に設定されている。このような各色光用の液晶パネルを採用することにより、投射画像の輝度むらを抑制できる。
【先行技術文献】
【特許文献】
【０００４】
【特許文献１】特開平４−２４０６８９号公報
【発明の概要】
【発明が解決しようとする課題】
【０００５】
上記特許文献１に記載の液晶ビデオプロジェクターの構成では、前段側の液晶パネルにて、後段側の液晶パネルに入射される光束の照度を調整することで、当該後段側の液晶パネルにより形成される画像（色画像）の輝度を調整でき、これにより、画像を高コントラスト化することも可能と考えられる。
しかしながら、当該液晶ビデオプロジェクターでは、前段側の液晶パネルと後段側の液晶パネルとが近い位置に設けられていることから、冷却空気等の媒体を流通させることが難しい。このため、高温となりやすい一方で熱に弱い液晶パネル（パネル本体及び偏光板）を冷却することが難しいという問題がある。
【０００６】
本発明は、高コントラスト化を図りつつ、画素変調装置を適切に冷却できるプロジェクターを提供することを目的の１つとする。
【課題を解決するための手段】
【０００７】
本発明の一態様に係るプロジェクターは、光源装置と、前記光源装置から出射された３色の色光をそれぞれ変調する３つの画素変調装置と、前記３つの画素変調装置により変調された各色光を合成する色合成装置と、合成された各色光を投射する投射光学装置と、前記光源装置と前記３つの画素変調装置の少なくともいずれかの画素変調装置である対象画素変調装置との間に配置され、当該対象画素変調装置に入射される光束の中心軸に対する直交面内の照度を調整する照度調整装置と、前記照度調整装置と前記対象画素変調装置との間に配置され、前記照度調整装置から出射された光束を前記対象画素変調装置に導くリレー光学装置と、を備えることを特徴とする。
【０００８】
なお、照度調整装置及び画素変調装置としては、入射される光束を変調する液晶パネルを備えた構成を例示できる。また、色合成装置は、所定波長の色光を反射させ、他の波長の色光を透過する反射層が形成されたダイクロイックミラーの組合せや、当該反射層が内部に形成されたダイクロイックプリズムを例示できる。更に、リレー光学装置としては、照度調整装置の像を対象画素変調装置に結像させる複数のレンズを備えた構成を例示できる。
【０００９】
上記一態様によれば、照度調整装置により、対象画素変調装置に入射される光束の中心軸に対する直交面内の照度が調整される。すなわち、照度調整装置により、対象画素変調装置が有する画素に入射される光量が調整される。これによれば、当該対象画素変調装置により形成される画像において輝度を低くしたい箇所の光量を、照度調整装置により調整できる。従って、投射光学装置により投射される各色光により形成される画像のコントラストを向上できる。
ここで、リレー光学装置により、照度調整装置から出射された光束が対象画素変調装置に導かれる構成であることから、照度調整装置と対象画素変調装置との物理的な距離を広げることができる。これによれば、照度調整装置と画素変調装置との間に空気等の冷却媒体が流通する流路を形成できる。従って、照度調整装置及び画素変調装置を適切に冷却できる。
【００１０】
上記一態様では、前記照度調整装置及び前記対象画素変調装置は、それぞれ同じ解像度を有する液晶パネルを備えて構成されていることが好ましい。
上記一態様によれば、画素変調装置を構成する各画素に入射される光の照度を、照度調整装置の各画素により１対１で調整できる。すなわち、画素変調装置を構成する液晶パネルに入射される光量を当該液晶パネルの画素単位で調整できる。従って、より詳細な照度調整を実施でき、より高コントラストな画像を確実に形成できる。なお、画素変調装置毎に照度調整装置を設ければ、より高コントラストな画像を形成できる。
【００１１】
或いは、上記一態様では、前記照度調整装置及び前記対象画素変調装置は、液晶パネルにより構成され、前記照度調整装置の解像度は、前記対象画素変調装置の解像度より低いことが好ましい。
ここで、解像度が低い液晶パネルは、解像度が高い液晶パネルに比べて安価である。また、変調領域の寸法がそれぞれ同じである液晶パネルでは、解像度が低い方が当該変調領域におけるブラックマトリクスの占有率が下がるため、当該ブラックマトリクスにより遮光される光量を低減でき、ひいては、当該液晶パネルから出射される光量を高めることができる。
このため、上記一態様によれば、照度調整装置が設けられていないプロジェクターと比較して高コントラストで高輝度な画像を比較的安価に構成できる。
【００１２】
上記一態様では、前記３つの画素変調装置は、それぞれ、前記投射光学装置のバックフォーカス位置に配置されていることが好ましい。
ここで、投射光学装置が、色合成装置により合成された各色光を鮮明に投射するためには、照度調整装置の後段に位置する対象画素変調装置を含む３つの画素変調装置は、それぞれ、投射光学装置のバックフォーカス位置に配置されていることが求められる。
これに対し、各画素変調装置は、投射光学装置のバックフォーカス位置に配置され、対象画素変調装置の解像度は、照度調整装置の解像度以上である。従って、高精細な画像を投射光学装置により鮮明に投射できる。
【００１３】
上記一態様では、前記照度調整装置における変調領域の寸法は、前記対象画素変調装置の変調領域の寸法と異なり、前記リレー光学装置は、前記照度調整装置における変調領域から出射された光束を、前記対象画素変調装置の変調領域に入射させることが好ましい。
ここで、照度調整装置における変調領域の寸法が、対象画素変調装置における変調領域の寸法と同じであれば、照度調整装置から出射された光束が対象画素変調装置における変調領域に入射されるように、画素変調装置と照度調整装置との間で行われる相対的な位置合わせを容易に実施できる。
【００１４】
一方、照度調整装置における変調領域の寸法が、対象画素変調装置における変調領域の寸法より大きい場合には、前述の解像度が低い場合と同様に、照度調整装置の変調領域においてブラックマトリクスが占める割合を低減できる。従って、照度調整装置から出射される光束の光量を高めることができ、形成される画像を高輝度化できる。
他方、照度調整装置における変調領域の寸法が、対象画素変調装置における変調領域の寸法より小さい場合には、照度調整装置として小型の液晶パネルを採用できる他、当該照度調整装置から出射された光を対象画素変調装置に導くリレー光学装置の寸法、及び、当該光の光路を短縮できる。従って、プロジェクターの小型化を図ることができる。
【図面の簡単な説明】
【００１５】
【図１】本発明の第１実施形態に係るプロジェクターの構成を示す模式図。
【図２】本発明の第２実施形態に係るプロジェクターの構成を示す模式図。
【図３】本発明の第３実施形態に係るプロジェクターの構成を模式的に示す側面図。
【図４】前記実施形態におけるプロジェクターの構成を模式的に示す上面図。
【図５】前記実施形態におけるプロジェクターの構成を模式的に示す正面図。
【図６】本発明の第４実施形態に係るプロジェクターの構成を示す模式図。
【発明を実施するための形態】
【００１６】
［第１実施形態］
以下、本発明の第１実施形態について、図面に基づいて説明する。
［プロジェクターの概略構成］
図１は、本実施形態に係るプロジェクター１Ａの構成を示す模式図である。
本実施形態に係るプロジェクター１Ａは、内部に設けられた光源から出射された光束を変調して画像情報に応じた画像を形成し、当該画像をスクリーン等の被投射面上に拡大投射する。このようなプロジェクター１Ａは、図１に示すように、光学ユニット３Ａと、当該光学ユニット３Ａを内部に収納する筐体（図示省略）とを備える。この他、プロジェクター１Ａは、図示を省略するが、制御装置と、電源装置と、当該プロジェクター１Ａを構成する冷却対象を冷却する冷却空気を流通させる冷却装置とを備える。
【００１７】
これらのうち、制御装置は、プロジェクター１Ａを制御する。例えば、制御装置は、画像情報に応じた画像信号をそれぞれ出力して、当該画像信号に応じた画像を後述する各画素変調装置３６に形成させる。また、制御装置は、画像信号から明るさ制御信号を決定し、当該明るさ制御信号に基づいた駆動信号を出力して、各画素変調装置３６の画素に入射される光量を後述する各照度調整装置３４に調整させる。
【００１８】
［光学装置の構成］
光学ユニット３Ａは、前述の制御装置から入力される信号に応じた画像を形成及び投射する。このような光学ユニット３Ａは、光源装置３１、色分離装置３２Ａ、反射装置３３Ａ、照度調整装置３４、リレー光学装置３５、画素変調装置３６、色合成装置３７Ａ及び投射光学装置３８を備える。
なお、図示を省略したが、光源装置３１と色分離装置３２Ａとの間には、当該光源装置３１から入射される光束の中心軸に対する直交面内の照度を均一化する均一化装置や、入射される光束の偏光方向を揃える偏光変換素子が設けられている。このような均一化装置として、入射される光束を複数の部分光束に分割した後、当該複数の部分光束を照度調整装置３４の照度調整領域に重畳させる一対のマルチレンズや、入射される光束を内部で反射させつつ進行させることで前記直交面内の照度を均一化するロッドインテグレーターを備える構成が挙げられる。
【００１９】
光源装置３１は、図１において一点鎖線で示す赤色光（Ｒ光）、一点鎖線で示す緑色光（Ｇ光）、及び、点線で示す青色光（Ｂ光）を含む光束を、色分離装置３２Ａに出射する。このような光源装置３１として、超高圧水銀ランプ等の光源ランプ及びリフレクターを備える構成を例示できる他、ＬＥＤ（Light Emitting Diode）やＬＤ（Laser Diode）等の固体光源を備える構成を例示できる。
【００２０】
色分離装置３２Ａは、入射される光束から、赤、緑及び青の各色光を分離するものであり、２つのダイクロイックミラー３２１，３２２を備える。
これらのうち、光源装置３１と対向配置され、当該光源装置３１から出射された光束が前記均一照明装置及び偏光変換素子（図示省略）を介して入射されるダイクロイックミラー３２１は、当該光束に含まれる青色光を透過し、赤色光及び緑色光を反射させる。このダイクロイックミラー３２１は、入射される光束の中心軸に対して４５°傾いて配置されている。
ダイクロイックミラー３２１に対向配置されるダイクロイックミラー３２２は、当該ダイクロイックミラー３２１から入射される赤色光及び緑色光のうち、赤色光を透過し、緑色光を反射させる。このダイクロイックミラー３２２も、入射される光束の中心軸に対して４５°傾いて配置されている。このダイクロイックミラー３２２により分離された赤色光及び緑色光は、それぞれ、赤色光用の照度調整装置３４（３４Ｒ）及び緑色光用の照度調整装置３４（３４Ｇ）に入射される。
【００２１】
反射装置３３Ａは、色分離装置３２Ａにより分離された各色光の光路上に配置される。この反射装置３３Ａは、反射ミラー３３１〜３３５を備えている。これらのうち、表裏面に青色光及び緑色光がそれぞれ入射される反射ミラー３３２と、表裏面に緑色光及び赤色光がそれぞれ入射される反射ミラー３３５とは、表面及び裏面がそれぞれ全反射面とされたミラーである。また、反射ミラー３３１は、ダイクロイックミラー３２１により分離された青色光を反射させて、青色光用の照度調整装置３４（３４Ｂ）に導く。
【００２２】
照度調整装置３４は、分離された色光毎に設けられ、同じく各色光に応じて設けられた画素変調装置３６に入射される光束の照度を、前述の制御装置から入力される駆動信号に応じて画素毎に調整する。すなわち、各照度調整装置３４は、色光毎に設けられた画素変調装置３６に応じてそれぞれ設けられている。
このような照度調整装置３４（３４Ｒ，３４Ｇ，３４Ｒ）は、パネル本体、及び、当該パネル本体を挟む一対の偏光素子を有する光透過型の液晶パネル３４１と、当該液晶パネル３４１の光入射側に設けられる平行化レンズ３４２とを備えている。そして、当該液晶パネル３４１が有する変調領域（入射される光を変調する領域であり、当該光が透過する透過領域）に配列された画素毎に透過光量を調整し、これにより、照度調整装置３４を透過する光束の中心軸に対する直交面内の照度を調整する。すなわち、当該変調領域が、照度調整領域である。
なお、照度調整装置３４は、本実施形態では、後述する画素変調装置３６の画像形成領域の解像度と同じ解像度を有する。また、照度調整装置３４の変調領域の寸法は、本実施形態では、当該画素変調装置３６の画像形成領域の寸法と同じである。
【００２３】
リレー光学装置３５は、分離された色光毎に設けられ、それぞれ、照度調整装置３４から出射された色光を画素変調装置３６に導く機能を有する。これらリレー光学装置３５（赤色光用、緑色光用及び青色光用のリレー光学装置を、それぞれ３５Ｒ，３５Ｇ，３５Ｂとする）は、本実施形態では、それぞれ光入射側に膨出した凸レンズで構成される入射側レンズ３５１及び出射側レンズ３５３と、これら各レンズ３５１，３５３の間に設けられる中間レンズ３５２とを備える。そして、これら３枚のレンズ３５１〜３５３により、照度調整装置３４から出射された色光を、光の発散等による光の損失を抑制しつつ、画素変調装置３６に入射させ、当該照度調整装置３４の像を画素変調装置３６にて結像させる。
【００２４】
なお、本実施形態では、照度調整装置３４Ｂから出射された青色光は、リレー光学装置３５Ｂの入射側レンズ３５１に入射された後、反射ミラー３３２にて反射され、中間レンズ３５２に入射される。そして、青色光は、当該中間レンズ３５２を介した後、反射ミラー３３３にて反射され、出射側レンズ３５３を介して、青色光用の画素変調装置３６（３６Ｂ）に入射される。
【００２５】
また、照度調整装置３４Ｇから出射された緑色光は、リレー光学装置３５Ｇの入射側レンズ３５１に入射された後、反射ミラー３３２にて反射され、中間レンズ３５２に入射される。そして、緑色光は、当該中間レンズ３５２を介した後、反射ミラー３３５にて反射され、出射側レンズ３５３を介して、緑色光用の画素変調装置３６（３６Ｇ）に入射される。
【００２６】
同様に、照度調整装置３４Ｒから出射された赤色光は、リレー光学装置３５Ｒの入射側レンズ３５１に入射された後、反射ミラー３３４にて反射され、中間レンズ３５２に入射される。そして、赤色光は、当該中間レンズ３５２を介した後、反射ミラー３３５にて反射され、出射側レンズ３５３を介して、赤色光用の画素変調装置３６（３６Ｒ）に入射される。
【００２７】
画素変調装置３６（３６Ｒ，３６Ｇ，３６Ｂ）は、分離された色光毎に設けられ、前述の制御装置から入力される画像信号に応じて、対応するリレー光学装置３５を介して入射される色光を変調し、これにより、各色光に応じた色画像を形成する。そして、各画素変調装置３６は、変調した色光である色画像を色合成装置３７Ａに出射する。
なお、本実施形態では、画素変調装置３６は、照度調整装置３４と同様に、光透過型の液晶パネルを備えて構成されている。そして、当該液晶パネルにおける画像形成領域（光が入射される領域）の解像度及び寸法は、前述のように、対応する照度調整装置３４の液晶パネル３４１における変調領域の解像度及び寸法と同じである。
【００２８】
色合成装置３７Ａは、各画素変調装置３６により変調された各色光を合成して、フルカラーの画像光を形成し、当該画像光を投射光学装置３８に出射する。このような色合成装置３７Ａは、立方体状の２つのプリズム３７１，３７３と、直角三角柱状のプリズム３７２とを備えている。
プリズム３７１は、プリズム３７３に対して前段側（光入射側）に配置される。このプリズム３７１は、直角三角柱状の一対のプリズムを組み合わせて構成され、当該各プリズムの界面には、青色光を透過し、緑色光を反射させる誘電体多層膜が形成されている。そして、当該プリズム３７１の外面のうち、プリズム３７３側とは反対側の端面から画素変調装置３６Ｂを介して青色光が入射され、当該端面に交差する端面から画素変調装置３６Ｇを介して緑色光が入射される。このようなプリズム３７１により合成された青色光及び緑色光は、プリズム３７３に向かって進行する。
【００２９】
プリズム３７２は、当該プリズム３７２を平面視した際の直角部分を挟む各辺に対応する２つの端面のうち一方の端面が、画素変調装置３６Ｒに対向し、他方の端面がプリズム３７３に対向する。このプリズム３７２において、当該プリズム３７２を平面視した際の斜辺に対応する端面には全反射層が形成されている。このプリズム３７２に入射された赤色光（画素変調装置３６Ｒを介して入射される赤色光）は、当該全反射層により反射され、上記他方の端面を介してプリズム３７３に進行する。
【００３０】
プリズム３７３は、当該プリズム３７３の外面のうちの１つの端面がプリズム３７１に対向し、他の１つの端面がプリズム３７２に対向するように配置される。このプリズム３７３は、プリズム３７１と同様に、直角三角柱状の一対のプリズムを組み合わせて構成され、当該一対のプリズムの界面には、青色光及び緑色光を透過し、赤色光を反射させる誘電体多層膜が形成されている。このようなプリズム３７３を、青色光及び緑色光が投射光学装置３８に向けて透過するとともに、赤色光が当該プリズム３７３により投射光学装置３８に向けて反射されることで、これら各色光が合成される。
なお、本実施形態では、色合成装置３７Ａは、プリズム３７１〜３７３を有する構成としたが、これらプリズム３７１〜３７３に代えて、複数のダイクロイックミラーにより、各色光を合成する構成としてもよい。
【００３１】
投射光学装置３８は、プリズム３７３で合成された赤、緑及び青の各色光により形成される画像光を、前述の被投射面上に拡大投射する。このような投射光学装置３８としては、鏡筒と、当該鏡筒内に配置される複数のレンズとを備えた組レンズを例示できる。
ここで、前述の各画素変調装置３６は、投射光学装置３８のバックフォーカス位置に配置される。そして、当該各画素変調装置３６の配置位置に、対応する各照度調整装置３４の像が結像されるように、対応するリレー光学装置３５が調整されている。
【００３２】
また、光源装置３１から出射され、投射光学装置３８に入射されるまでの各色光の光路長は、それぞれ同じ長さに設定されている。
更に、照度調整装置３４と、当該照度調整装置３４に対応する画素変調装置３６との間の距離も、各色光で同じであり、更に、照度調整装置３４と、当該照度調整装置３４に対応するリレー光学装置３５の各レンズ３５１〜３５３との距離も、各色光で同じである。換言すると、画素変調装置３６から、当該画素変調装置３６に対応する照度調整装置３４及び各レンズ３５１〜３５３までの距離は、各色光で同じである。
【００３３】
以上説明した本実施形態に係るプロジェクター１Ａによれば、以下の効果がある。
照度調整装置３４（３４Ｒ，３４Ｇ，３４Ｂ）の各画素により、当該照度調整装置３４に対応する対象画素変調装置である画素変調装置３６（３６Ｒ，３６Ｇ，３６Ｂ）に入射される光束の中心軸に対する直交面内の照度が調整される。これによれば、各画素変調装置３６により形成される色画像において輝度を低くしたい箇所の光量を、対応する照度調整装置３４により調整できる。従って、投射光学装置３８により投射される各色光により形成される画像のコントラストを向上でき、高コントラストな画像を形成及び投射できる。
【００３４】
ここで、リレー光学装置３５（３５Ｒ，３５Ｇ，３５Ｂ）により、照度調整装置３４から出射された光束が画素変調装置３６に導かれる構成であるので、照度調整装置３４と、当該照度調整装置３４に対応する画素変調装置３６との物理的な距離を広げることができる。これによれば、照度調整装置３４と画素変調装置３６との間に空気等の冷却媒体が流通する流路を形成できる。従って、前述の冷却装置により流通される冷却空気により、照度調整装置３４及び画素変調装置３６を適切に冷却できる。
【００３５】
照度調整装置３４と画素変調装置３６とは、それぞれ同じ解像度を有する液晶パネルを備えて構成されている。これによれば、画素変調装置３６を構成する液晶パネルの各画素に入射される光の照度を、照度調整装置３４の液晶パネル３４１の各画素により１対１で調整できる。すなわち、画素変調装置３６を構成する液晶パネルの各画素に入射される光量を画素単位で調整できる。従って、より詳細な照度調整を実施でき、高コントラストな画像を確実に形成できる。
【００３６】
ここで、投射光学装置３８が、色合成装置３７Ａにより合成された各色光を鮮明に投射するためには、照度調整装置３４の後段に位置する各画素変調装置３６は、投射光学装置３８のバックフォーカス位置に配置されていることが求められる。
これに対し、各画素変調装置３６は、投射光学装置３８のバックフォーカス位置にそれぞれ配置され、各画素変調装置３６の解像度は、対応する照度調整装置３４の解像度と同じである。従って、高コントラストな画像を投射光学装置３８により鮮明に投射できる。
【００３７】
照度調整装置３４が有する液晶パネル３４１における変調領域の寸法は、対応する画素変調装置３６が有する液晶パネルにおける変調領域の寸法と同じである。これによれば、照度調整装置３４から出射された光束が、対応する画素変調装置３６の上記変調領域に入射されるように、当該画素変調装置３６と照度調整装置３４との間で行われる相対的な位置合わせを容易に実施できる。従って、光学ユニット３Ａ、ひいては、プロジェクター１Ａの製造工程を簡略化できる。
【００３８】
［第１実施形態の第１変形例］
前述のプロジェクター１Ａでは、各照度調整装置３４が備える液晶パネル３４１の解像度と、当該照度調整装置３４に対応する画素変調装置３６が備える液晶パネルの解像度とは同じであった。これに対し、液晶パネル３４１の解像度は、対応する画素変調装置３６の液晶パネルの解像度より低くてもよい。この場合には、画素変調装置３６が有する液晶パネルの画像形成領域を構成する画素毎に入射される光の照度を調整することはできなくなるが、以下の利点がある。
【００３９】
１つ目は、照度調整装置３４が備える液晶パネル３４１として、解像度が低く、比較的安価な液晶パネルを採用できる点である。これによれば、プロジェクター１Ａの製造コストを低減できる。
２つ目は、液晶パネル３４１の解像度が低いことから、当該液晶パネル３４の変調領域におけるブラックマトリクスの占有率を下げることができるので、当該液晶パネル３４１の開口率を高くすることができる点である。これによれば、照度調整装置３４に入射される光のうち、ブラックマトリクスに入射されて画像形成に利用できない光の割合を低減できるので、画素変調装置３６に入射される光量（光の照度）を高めることができる。
【００４０】
［第１実施形態の第２変形例］
前述のプロジェクター１Ａでは、各照度調整装置３４が備える液晶パネル３４１の変調領域の寸法と、当該照度調整装置３４に対応する画素変調装置３６が備える液晶パネルの画像形成領域の寸法とは同じであった。これに対し、当該変調領域の寸法は、対応する画像形成領域の寸法と異なっていてもよい。この場合、変調領域から出射された光が画像形成領域に入射され、当該画像形成領域全体が照明されるように、対応するリレー光学装置３５の各レンズ３５１〜３５３のレンズ特性を調整されていればよい。このような構成であれば、以下の利点がある。
【００４１】
例えば、変調領域の寸法が、画像形成領域の寸法より大きい場合には、変調領域の解像度が低い前述の場合と同様に、当該変調領域におけるブラックマトリクスの占有率を低減できる点が挙げられる。これによれば、前述のように、液晶パネル３４１の開口率を高めることができ、当該液晶パネル３４１を透過する光量を高められるので、画素変調装置３６に入射される光量（光の照度）を高めることができる。
【００４２】
一方、変調領域の寸法が、画像形成領域の寸法より小さい場合には、液晶パネル３４１として小型の液晶パネルを採用できる点が挙げられる。このような構成であれば、光学ユニット３Ａ、ひいては、プロジェクター１Ａの小型化を図ることができる。更に、小型の液晶パネルは、大型の液晶パネルに比べて安価であるので、光学ユニット３Ａ、ひいては、プロジェクター１Ａの製造コストを低減できる。
【００４３】
［第２実施形態］
以下、本発明の第２実施形態について説明する。
本実施形態に係るプロジェクターは、前述のプロジェクター１Ａと同様の構成を備えるが、光学ユニットを構成する部品の位置及び構成が異なる点で、当該プロジェクター１Ａと相違する。なお、以下の説明では、既に説明した部分と同一又は略同一である部分については、同一の符号を付して説明を省略する。
【００４４】
図２は、本実施形態に係るプロジェクター１Ｂが有する光学ユニット３Ｂの構成を示す模式図である。
本実施形態に係るプロジェクター１Ｂは、光学ユニット３Ａに代えて光学ユニット３Ｂを備える他は、前述のプロジェクター１Ａと同様の構成及び機能を有する。
この光学ユニット３Ｂは、図２に示すように、光源装置３１、色分離装置３２Ｂ、反射装置３３Ｂ、照度調整装置３４、リレー光学装置３５、画素変調装置３６、色合成装置３７Ｂ及び投射光学装置３８を備える。なお、図示を省略したが、光源装置３１と色分離装置３２Ｂとの間には、前述の均一照明装置や偏光変換素子が設けられている。
【００４５】
本実施形態では、色分離装置３２Ｂは、互いに直交し、かつ、光源装置３１から出射された光束の中心軸に対してそれぞれ４５°の角度で傾斜する一対のダイクロイックミラー３２３，３２４と、ダイクロイックミラー３２５とを有する。
これらのうち、ダイクロイックミラー３２３は、赤色光（一点鎖線で示すＲ光）を反射させ、緑色光（二点鎖線で示すＧ光）及び青色光（点線で示すＢ光）を透過させる。一方、ダイクロイックミラー３２４は、赤色光を透過させ、緑色光及び青色光を反射させる。このため、光源装置３１から出射され、当該ダイクロイックミラー３２４，３２５に入射された光束のうち、赤色光の進行方向は９０°変換され、緑色光及び青色光の進行方向は、赤色光の進行方向とは反対方向に変換される。
また、ダイクロイックミラー３２５は、ダイクロイックミラー３２３，３２４により分離された緑色光及び青色光のうち、緑色光を反射させて照度調整装置３４Ｇに入射させ、青色光を透過させて照度調整装置３４Ｂに入射させる。
【００４６】
反射装置３３Ｂは、前述の反射装置３３Ａと同様に、５つの反射ミラー３３１〜３３５を備え、色分離装置３２Ｂにて分離された各色光を、対応する画素変調装置３６に導く。
これらのうち、反射ミラー３３１は、ダイクロイックミラー３２３，３２４により分離された赤色光を反射させ、照度調整装置３４Ｒに導く。
反射ミラー３３２は、リレー光学装置３５Ｒの中間レンズ３５２と出射側レンズ３５３との間に設けられ、当該中間レンズ３５２を透過した赤色光の進行方向を９０°屈曲させ、当該赤色光を出射側レンズ３５３に導く。
【００４７】
反射ミラー３３３は、ダイクロイックミラー３２３，３２４により分離された緑色光及び青色光を反射させ、ダイクロイックミラー３２５に導く。
反射ミラー３３４は、リレー光学装置３５Ｇの入射側レンズ３５１と中間レンズ３５２との間に設けられ、当該入射側レンズ３５１を透過した緑色光の進行方向を９０°屈曲させ、当該緑色光を中間レンズ３５２に導く。
反射ミラー３３５は、リレー光学装置３５Ｂの中間レンズ３５２と出射側レンズ３５３との間に設けられ、当該中間レンズ３５２を透過した青色光の進行方向を９０°屈曲させ、当該青色光を出射側レンズ３５３に導く。
【００４８】
照度調整装置３４（３４Ｒ，３４Ｇ，３４Ｂ）は、前述の光学ユニット３Ａの場合と同様に、色分離装置３２Ｂにより分離された３色の色光の光路上に設けられ、当該照度調整装置３４は、それぞれ、液晶パネル３４１及び平行化レンズ３４２を備える。そして、照度調整装置３４は、当該照度調整装置３４を透過する色光の中心軸に直交する面内の照度分布を調整し、これにより、対応する画素変調装置３６の画像形成領域を構成する各画素に入射される光束の光量を調整する。
【００４９】
リレー光学装置３５（３５Ｒ，３５Ｇ，３５Ｂ）は、前述の光学ユニット３Ａの場合と同様に、３色の色光の光路上に設けられ、照度調整装置３４から出射された光束を、対応する画素変調装置３６に入射させることで、当該照度調整装置３４の像を、対応する画素変調装置３６にて結像させる。このようなリレー光学装置３５は、前述のように、入射側レンズ３５１、中間レンズ３５２及び出射側レンズ３５３を備える。
画素変調装置３６（３６Ｒ，３６Ｇ，３６Ｂ）は、前述の光学ユニット３Ａと同様に、３色の色光の光路上に設けられ、制御装置から入力される画像信号に応じた画像（色画像）を形成する液晶パネルを備える。なお、各画素変調装置３６は、投射光学装置３８のバックフォーカス位置にそれぞれ配置される。
【００５０】
色合成装置３７Ｂは、色合成装置３７Ａと同様に、各画素変調装置３６により変調された色光（色画像）を合成し、当該色光を投射光学装置３８に出射する。この色合成装置３７Ｂは、赤色光を反射させる誘電体多層膜と青色光を反射させる誘電体多層膜とが、４つの直角プリズムの界面に沿って略Ｘ字状に形成されたクロスダイクロイックプリズムを備える。
【００５１】
このクロスダイクロイックプリズムは、３つの入射面と、１つの出射面とを有する。これら３つの入射面のうち、出射面に対向する入射面に対向するように、画素変調装置３６Ｇが配置され、残りの２つの入射面のうち、赤色光を反射させる誘電体多層膜に対向する入射面に対向するように、画素変調装置３６Ｒが配置され、青色光を反射させる誘電体多層膜に対向する入射面に対向するように、画素変調装置３６Ｂが配置される。
【００５２】
そして、色合成装置３７Ｂに入射された赤色光は、上記誘電体多層膜により投射光学装置３８に向けて反射され、緑色光は、上記誘電体多層膜を透過し、青色光は、上記誘電体多層膜により投射光学装置３８に向けて反射されることで、各色光が合成される。
そして、合成された各色光は、投射光学装置３８により被投射面上に投射される。
このような光学ユニット３Ｂにおいても、画素変調装置３６から、当該画素変調装置３６に対応する照度調整装置３４及び各レンズ３５１〜３５３までの距離は、各色光で同じである。
【００５３】
以上説明した本実施形態に係るプロジェクター１Ｂによれば、前述のプロジェクター１Ａと同様の効果を奏することができる。
なお、プロジェクター１Ｂにおいても、プロジェクター１Ａと同様に、照度調整装置３４の液晶パネル３４１の解像度を、対応する画素変調装置３６の液晶パネルの解像度より低くしてもよい。また、液晶パネル３４１における変調領域の寸法を、対応する画素変調装置３６の画像形成領域の寸法と異ならせてもよい。これらの構成を採用した場合でも、前述の利点と同様の利点がある。
【００５４】
［第３実施形態］
以下、本発明に第３実施形態について説明する。
本実施形態に係るプロジェクターは、前述のプロジェクター１Ａ，１Ｂと同様の構成を備える。ここで、プロジェクター１Ａ，１Ｂの光学ユニット３Ａ，３Ｂでは、各光学部品が平面的に配置されていた。これに対し、本実施形態に係るプロジェクターの光学ユニットでは、各光学部品が立体的に配置される。この点で、本実施形態に係るプロジェクターと、前述のプロジェクター１Ａ，１Ｂとは相違する。なお、以下の説明では、既に説明した部分と同一又は略同一である部分については、同一の符号を付して説明を省略する。
【００５５】
図３〜図５は、本実施形態に係るプロジェクター１Ｃが備える光学ユニット３Ｃの構成を示す模式図である。詳述すると、図３〜図５は、それぞれ、光学ユニット３Ｃを模式的に示す側面図、平面図及び正面図である。なお、図５に示す正面図は、投射光学装置３８による画像の投射方向とは反対方向から、光学ユニット３Ｃを見た図である。
プロジェクター１Ｃは、光学ユニット３Ａに代えて光学ユニット３Ｃを備える他は、前述のプロジェクター１Ａと同様の構成及び機能を有する。
この光学ユニット３Ｃは、図３〜図５に示すように、光源装置３１、色分離装置３２Ｃ、反射装置３３Ｃ、照度調整装置３４、リレー光学装置３５、画素変調装置３６、色合成装置３７Ｂ及び投射光学装置３８を備える。なお、図示を省略したが、光源装置３１と色分離装置３２Ｃとの間には、前述の均一照明装置や偏光変換素子の他、光源装置３１から出射された光束を平行化する平行化レンズ３９が設けられている。
【００５６】
このような光学ユニット３Ｃでは、光源装置３１は、当該光源装置３１による光束の出射方向が、投射光学装置３８による画像の投射方向と反対方向となるように、当該投射光学装置３８の下方に配置される。
色分離装置３２Ｃは、前述のクロスダイクロイックプリズムにより構成され、当該クロスダイクロイックプリズムの出射面を、光源装置３１から出射された光束が入射される入射面として利用している。そして、図４に示すように、色分離装置３２Ｃに入射された光束のうち、緑色光（二点鎖線で示すＧ光）は、当該色分離装置３２Ｃを透過し、赤色光（一点鎖線で示すＲ光）及び青色光（点線で示すＢ光）は、当該色分離装置３２Ｃにより進行方向が９０°屈曲され、互いに反対方向に進行する。例えば、光源装置３１及び投射光学装置３８が鉛直方向に沿って配置され、光源装置３１が投射光学装置３８の下方に位置する場合では、赤色光、緑色光及び青色光の各中心軸は、水平面に沿う状態となる。
【００５７】
反射装置３３Ｃは、本実施形態では、６つの反射ミラー３３Ｂ１，３３Ｂ２，３３Ｇ１，３３Ｇ２，３３Ｒ１，３３Ｒ２を備え、色分離装置３２Ｃにより分離された各色光を、色合成装置３７Ｂに導く。これらのうち、図５に示すように、反射ミラー３３Ｂ１，３３Ｂ２は、青色光の光路上に設けられる。そして、第１の反射ミラー３３Ｂ１は、入射される青色光を上方に９０°屈曲させ、第２の反射ミラー３３Ｂ２は、当該第１の反射ミラー３３Ｂ１を介して入射される青色光を水平方向に９０°屈曲させ、色分離装置３２Ｃの上方に位置する色合成装置３７Ｂにおける青色光用の入射面に、当該青色光を導く。また、反射ミラー３３Ｇ１，３３Ｇ２及び反射ミラー３３Ｒ１，３３Ｒ２も、図３及び図５に示すように、緑色光及び赤色光の光路上にそれぞれ配置され、反射ミラー３３Ｂ１，３３Ｂ２と同様に、緑色光及び赤色光を、色合成装置３７Ｂにおける緑色光用の入射面及び赤色光用の入射面にそれぞれ導く。
【００５８】
照度調整装置３４（３４Ｒ，３４Ｇ，３４Ｂ）及びリレー光学装置３５（３５Ｒ，３５Ｇ，３５Ｂ）は、図３及び図５に示すように、前述の光学ユニット３Ａ，３Ｂと同様に、分離された赤色光、緑色光及び青色光に応じて設けられている。
これらのうち、照度調整装置３４Ｒ，３４Ｇ，３４Ｂ、それぞれ、色分離装置３２Ｃにおける各色光の出射面に対向して配置されている。
【００５９】
また、リレー光学装置３５Ｒ，３５Ｇ，３５Ｂのうち、リレー光学装置３５Ｒを構成する入射側レンズ３５１は、照度調整装置３４Ｒと第１の反射ミラー３３Ｒ１との間に配置される。また、当該リレー光学装置３５Ｒを構成する中間レンズ３５２は、第１の反射ミラー３３Ｒ１と第２の反射ミラー３３Ｒ２との間に配置され、出射側レンズ３５３は、第２反射ミラー３３Ｒ２と画素変調装置３６Ｒとの間に配置される。図３及び図５に示すように、他のリレー光学装置３５Ｂ，３５Ｇも同様に配置される。
【００６０】
画素変調装置３６（３６Ｒ，３６Ｇ，３６Ｂ）は、図４に示すように、それぞれ対応する色光の光路上で、かつ、投射光学装置３８のバックフォーカス位置に配置されている。具体的に、各画素変調装置３６Ｒ，３６Ｇ，３６Ｂは、それぞれ、色合成装置３７Ｂにおいて対応する各色光の入射面に対向して配置されている。
【００６１】
色合成装置３７Ｂは、前述のように、色分離装置３２Ｃの上方に配置されるクロスダイクロイックプリズムにより構成されており、当該クロスダイクロイックプリズムにおける各色光の入射面は、色分離装置３２Ｃを構成するクロスダイクロイックプリズムにおける各色光の出射面と、それぞれ同一平面上に位置するように配置される。このような色合成装置３７Ｂは、対応する入射面から入射される赤色光、緑色光及び青色光を合成し、合成された各色光を投射光学装置３８に出射する。
そして、投射光学装置３８は、入射される３色の色光、すなわち、画像光を前述の被投射面上に拡大投射する。
このような光学ユニット３Ｃにおいても、画素変調装置３６から、当該画素変調装置３６に対応する照度調整装置３４及び各レンズ３５１〜３５３までの距離は、各色光で同じである。
【００６２】
以上説明した本実施形態に係るプロジェクター１Ｃによれば、前述のプロジェクター１Ａ，１Ｂと同様の効果を奏することができる。
なお、プロジェクター１Ｃにおいても、プロジェクター１Ａ，１Ｂと同様に、照度調整装置３４の液晶パネル３４１の解像度を、対応する画素変調装置３６の液晶パネルの解像度より低くしてもよく、また、液晶パネル３４１における変調領域の寸法を、対応する画素変調装置３６の画像形成領域の寸法と異ならせてもよい。
【００６３】
［第４実施形態］
次に、本発明の第４実施形態について説明する。
本実施形態に係るプロジェクターは、前述のプロジェクター１Ａ，１Ｂ，１Ｃと同様の構成を備える。しかしながら、当該プロジェクターを構成する光学ユニットが有する照度調整装置及びリレー光学装置が、分離された色光毎に設けられているのではなく、１つの色光の光路上にのみ設けられている。この点で、本実施形態に係るプロジェクターと、前述のプロジェクター１Ａ，１Ｂ，１Ｃとは相違する。なお、以下の説明では、既に説明した部分と同一又は略同一である部分については、同一の符号を付して説明を省略する。
【００６４】
図６は、本実施形態に係るプロジェクター１Ｄが備える光学ユニット３Ｄの構成を示す模式図である。
本実施形態に係るプロジェクター１Ｄは、光学ユニット３Ａに代えて光学ユニット３Ｄを備える他は、前述のプロジェクター１Ａと同様の構成及び機能を有する。
光学ユニット３Ｄは、前述の光学ユニット３Ａ，３Ｂ，３Ｃと同様に、制御装置から入力される画像信号に応じた画像を形成し、当該画像を投射する。この光学ユニット３Ｄは、図６に示すように、光源装置３１、色分離装置３２Ａ、反射装置３３Ｄ、照度調整装置３４、リレー光学装置３５、画素変調装置３６、色合成装置３７Ｂ、投射光学装置３８及び平行化レンズ３９を備える。なお、前述の光学ユニット３Ａと同様に、図示を省略したが、光源装置３１と色分離装置３２Ａとの間には、前述の均一照明装置や偏光変換素子の他、光源装置３１から出射された光束を平行化する平行化レンズが設けられている。
【００６５】
反射装置３３Ｄは、３つの反射ミラー３３１〜３３３により構成されている。
これらのうち、反射ミラー３３１は、色分離装置３２Ａのダイクロイックミラー３２１にて反射された赤色光を、画素変調装置３６Ｒに向けて反射させる。
また、反射ミラー３３２，３３３は、それぞれダイクロイックミラー３２２を透過した緑色光（二点鎖線で示すＧ光）の光路上に配置されている。そして、反射ミラー３３２は、照度調整装置３４（３４Ｇ）を透過した緑色光を反射させて、当該緑色光の進行方向を９０°屈曲させ、当該緑色光を反射ミラー３３３に入射させる。一方、反射ミラー３３３は、入射される緑色光を反射させて、当該緑色光の進行方向を更に９０°屈曲させ、当該緑色光を画素変調装置３６Ｇに入射させる。
【００６６】
照度調整装置３４及びリレー光学装置３５は、本実施形態では、色分離装置３２Ａにより分離された緑色光の光路上にのみ設けられている。すなわち、本実施形態における照度調整装置３４及びリレー光学装置３５は、緑色光用の照度調整装置３４Ｇ及びリレー光学装置３５Ｇである。
この照度調整装置３４Ｇは、ダイクロイックミラー３２２を透過した緑色光が入射される位置に配置されている。
リレー光学装置３５Ｇを構成する各レンズ３５１〜３５３のうち、入射側レンズ３５１は、照度調整装置３４Ｇと反射ミラー３３２との間に設けられている。また、中間レンズ３５２は、反射ミラー３３２と反射ミラー３３３との間に設けられ、出射側レンズ３５３は、反射ミラー３３３と、画素変調装置３６Ｇの前段に配置された平行化レンズ３９との間に設けられている。
【００６７】
画素変調装置３６（３６Ｒ，３６Ｇ，３６Ｂ）は、それぞれ、対応する色光の光路上で、かつ、投射光学装置３８のバックフォーカス位置に設けられ、前述のように、入射される色光を変調して、制御装置から入力される画像信号に応じた色画像を形成する。これら画素変調装置３６Ｒ，３６Ｇ，３６Ｂは、色合成装置３７Ｂを構成するダイクロイックプリズムにおける３つの入射面に対向するように、それぞれ配置されている。そして、各画素変調装置３６Ｒ，３６Ｇ，３６Ｂにより変調された色光は、当該３つの入射面を介して、それぞれ色合成装置３７Ｂに入射される。
なお、画素変調装置３６Ｒ，３６Ｂの光入射側には、平行化レンズ３９がそれぞれ設けられている。
【００６８】
色合成装置３７Ｂは、前述のように、ダイクロイックプリズムにより構成され、各入射面から入射された色光のうち、出射面と対向する青色光（点線で示すＢ光）を透過させるとともに、他の入射面から入射される赤色光（一点鎖線で示すＲ光）及び緑色光（二点鎖線で示すＧ光）を、それぞれ、出射面に向けて反射させる。これにより、各色光が合成され、当該各色光は、投射光学装置３８に向かって進行する。
そして、投射光学装置３８は、入射される３色の色光、すなわち、画像光を前述の被投射面上に拡大投射する。
【００６９】
ここで、光学ユニット３Ｄにおいては、光源装置３１から投射光学装置３８に到達するまでの光路長さは、それぞれ同じ長さとなる赤色光及び青色光に比べて、緑色光が長くなっている。このため、緑色光に光の損失が生じやすい。
これに対し、当該緑色光の光路上に設けられたリレー光学装置３５Ｇは、本実施形態では、緑色光の光路長さが他の色光の光路長さに比べて長いことによる光の損失が抑制されるように設計されている。
【００７０】
以上説明した本実施形態に係るプロジェクター１Ｄによれば、前述のプロジェクター１Ａと同様の効果を奏することができる他、以下の効果がある。
すなわち、分離された緑色光の光路上にのみ、照度調整装置３４及びリレー光学装置３５を設けているので、分離された各色光の光路上に設ける場合に比べて、光学ユニット３Ｄ、ひいては、プロジェクター１Ｄを安価に構成できる。
また、照度調整装置３４（３４Ｇ）が緑色光の光路上に設けられているのは、光源装置３１から出射される光の成分のうち、緑色光の強度が、赤色光及び青色光の強度に比べて高いためである。このような緑色光の光路上に照度調整装置３４が少なくとも設けられていることにより、他の色光の光路上にのみ照度調整装置３４が設けられている場合に比べて、投射される画像のコントラストを好適に向上できる。
【００７１】
なお、プロジェクター１Ｄにおいても、プロジェクター１Ａの場合と同様に、照度調整装置３４の液晶パネル３４１の解像度を、対応する画素変調装置３６の液晶パネルの解像度より低くしてもよく、また、液晶パネル３４１における変調領域の寸法を、対応する画素変調装置３６の画像形成領域の寸法と異ならせてもよい。
また、上記光学ユニット３Ｄでは、照度調整装置３４を、分離された緑色光の光路上に設けたが、これに限らず、赤色光又は青色光の光路上に設けてもよい。この場合、リレー光学装置３５によりリレーされる色光が、赤色光又は青色光となるように、色分離装置３２Ａが各色光を分離するように構成すればよい。
【００７２】
［実施形態の変形］
本発明は前述の実施形態に限定されるものではなく、本発明の目的を達成できる範囲での変形、改良等は本発明に含まれるものである。
前記各実施形態では、光学ユニット３Ａ〜３Ｄは、図１〜図６に示す光学部品のレイアウトを採用したが、本発明はこれに限らない。すなわち、光源装置３１から出射された光が投射光学装置３８に至るまでの間に、各色光の中心軸に直交する面内の照度を調整し、当該照度が調整された色光を変調して画像を形成できればよく、光学部品のレイアウトは適宜変更可能である。
【００７３】
前記第１から第３実施形態では、照度調整装置３４及びリレー光学装置３５は、色分離装置３２Ａ〜３２Ｃにより分離された色光毎に設けられていたが、本発明はこれに限らない。すなわち、前記第４実施形態で示した光学ユニット３Ｄと同様に、３つの色光のうち、少なくとも１つの色光の光路上に、照度調整装置３４及びリレー光学装置３５が設けられていればよい。例えば、当該３つの色光のうち、他の色光より輝度が高い緑色光の光路上にのみ照度調整装置３４及びリレー光学装置３５を設けてもよく、更に、他の色光の光路上に照度調整装置３４及びリレー光学装置３５を設けてもよい。
【００７４】
前記各実施形態では、リレー光学装置３５は、入射側レンズ３５１、中間レンズ３５２及び出射側レンズ３５３を備えるとしたが、本発明はこれに限らない。すなわち、リレー光学装置は、３枚のレンズを有する構成に限らず、少なくとも１つのレンズを有する構成であればよい。しかしながら、１つのレンズにより、照度調整装置３４の像を画素変調装置３６にて結像させようとすると、収差を考慮したレンズを採用する必要がある。この場合、比較的高価なレンズを採用する必要が生じるため、プロジェクターの製造コストが増大する。これに対し、上記３つのレンズ３５１〜３５３を用いれば、各レンズ３５１〜３５３により収差を補正できればよいので、比較的安価なレンズを採用できる。従って、リレー光学装置３５を安価に構成でき、光学ユニット、ひいては、プロジェクターの製造コストの増大を抑制できる。
【００７５】
前記各実施形態では、色分離装置により、１つの光源装置３１から出射された光束から、赤、緑及び青の各色光を分離し、当該各色光を色光毎に設けられた画素変調装置３６（３６Ｒ，３６Ｇ，３６Ｂ）にそれぞれ入射させていた。しかしながら、本発明はこれに限らない。例えば、赤色光を出射する光源装置、緑色光を出射する光源装置、及び、青色光を出射する光源装置をそれぞれ個別に設けてもよい。このような光源装置として、各色光を出射するＬＥＤ等の固体光源を備えた構成を採用できる。このような構成によれば、色分離装置を省略できる。
【００７６】
前記各実施形態では、色分離装置３２Ａ〜３２Ｃは、光源装置３１から出射された光束を、赤、緑及び青の３つの色光に分離するとしたが、本発明はこれに限らない。すなわち、２つ、或いは４以上の色光に分離してもよく、赤、緑及び青に限らず、他の色光（例えば、シアン（青緑）、マゼンダ（赤紫）及びイエローに応じた３つの色光）に分離する構成としてもよい。
【００７７】
前記各実施形態では、画素変調装置３６（３６Ｒ，３６Ｇ，３６Ｂ）は、光入射面と光出射面とが異なる光透過型の液晶パネルを有する構成としていたが、本発明はこれに限らず、光入射面と光出射面とが同一となる反射型の液晶パネルを用いてもよい。
前記各実施形態では、被投射面に対する画像光の投射方向と、当該画像光に係る画像の観察方向とが略同じであるフロントタイプのプロジェクターを例示したが、本発明はこれに限らない。例えば、投射方向と観察方向とがそれぞれ反対方向となるリアタイプのプロジェクターにも適用できる。
【産業上の利用可能性】
【００７８】
本発明は、プロジェクターに利用でき、例えば、光変調装置として液晶パネルを備えたプロジェクターに好適に利用できる。
【符号の説明】
【００７９】
１Ａ，１Ｂ，１Ｃ，１Ｄ…プロジェクター、３１…光源装置、３２Ａ，３２Ｂ，３２Ｃ…色分離装置、３４（３４Ｒ，３４Ｇ，３４Ｂ）…照度調整装置、３５（３５Ｒ，３５Ｇ，３５Ｂ）…リレー光学装置、３６（３６Ｒ，３６Ｇ，３６Ｂ）…画素変調装置、３７Ａ，３７Ｂ…色合成装置、３８…投射光学装置。
【図１】
2014153418.tif 000003
【図２】
2014153418.tif 000004
【図３】
2014153418.tif 000005
【図４】
2014153418.tif 000006
【図５】
2014153418.tif 000007
【図６】
2014153418.tif 000008